(57)【要約】【課題】倒伏に対する安定性に優れ、組立ても容易なグリーンカーテン用組立体キット及び組立体を提供する。【解決手段】グリーンカーテン用組立体キット及び組立体は、グリーンカーテン用組立体の組立て時、平面上に隔置される２つの植木用容器と、それぞれ植木用容器のところから上方に延びる２つの縦支柱と、少なくとも一方の植木用容器に設けられ、上記少なくとも一方の植木用容器の外側にこれと関連する縦支柱を垂直に起立した状態に支持する支柱支持装置と、２つの縦支柱間に張られるネットとを備える。各植木用容器は、各植木用容器に投入される栽培土と共にグリーンカーテン用組立体の重石を構成する。【選択図】図１
2013150551.tif 000002
【特許請求の範囲】
【請求項１】
グリーンカーテン用組立体キットであって、
グリーンカーテン用組立体の組立て時、平面上に隔置される２つの植木用容器と、
それぞれ植木用容器のところから上方に延びる２つの縦支柱と、
少なくとも一方の植木用容器に設けられ、前記少なくとも一方の植木用容器の外側にこれと関連する縦支柱を垂直に起立した状態に支持する支柱支持装置と、
２つの縦支柱間に張られるネットとを備え、
各植木用容器は、各植木用容器に投入される栽培土と共にグリーンカーテン用組立体の重石を構成する、グリーンカーテン用組立体キット。
【請求項２】
前記関連する縦支柱は、前記平面上に起立される、請求項１に記載のグリーンカーテン用組立体キット。
【請求項３】
前記支柱支持装置は、前記少なくとも一方の植木用容器の一側に位置して前記関連する縦支柱を拘束する少なくとも１つの拘束リングを備える、請求項１に記載のグリーンカーテン用組立体キット。
【請求項４】
前記少なくとも１つの拘束リングは、前記一側に着脱可能であり、前記支柱支持装置は、前記少なくとも一方の植木用容器の外側面に着脱可能に装着されて前記少なくとも１つの拘束リングを前記一側に支持する装着リングをさらに備える、請求項３に記載のグリーンカーテン用組立体キット。
【請求項５】
前記支柱支持装置は、前記少なくとも一方の植木用容器の外側面上に位置決めされて前記装着リングを前記外側面に対し締付け固定する緊締具をさらに備える、請求項４に記載のグリーンカーテン用組立体キット。
【請求項６】
前記少なくとも１つの拘束リングは、前記少なくとも一方の植木用容器の上部にこれと一体的に形成されて外方に突出する、請求項３に記載のグリーンカーテン用組立体キット。
【請求項７】
前記関連する縦支柱は下端にフランジを有し、フランジは前記平面上に置かれ、前記関連する縦支柱が起立するのを支援する、請求項３に記載のグリーンカーテン用組立体キット。
【請求項８】
２つの植木用容器に近接した位置で２つの縦支柱を連結する下側横支柱をさらに備え、前記下側横支柱は、栽培土と共に重石を構成する２つの植木用容器を前記縦支柱を介して一体的に結合する、請求項１に記載のグリーンカーテン用組立体キット。
【請求項９】
２つの植木用容器の間に、１つ又は複数の別の植木用容器を配置することができる、請求項１に記載のグリーンカーテン用組立体キット。
【請求項１０】
ネットが張られる縦支柱間の距離は、前記平面上で一方の又は各植木用容器を他方の植木用容器に対して移動させることにより変更可能である、請求項１に記載のグリーンカーテン用組立体キット。
【請求項１１】
前記少なくとも一方の植木用容器を垂直軸の周りで回転させて、前記支柱支持装置に支持された前記関連する縦支柱の周方向位置を変えることにより、ネットが植木用容器の上方を横切る位置を変更可能である、請求項１に記載のグリーンカーテン用組立体キット。
【請求項１２】
グリーンカーテン用組立体であって、
平面上に隔置される２つの植木用容器と、
それぞれ植木用容器のところから上方に延びる２つの縦支柱と、
少なくとも一方の植木用容器に設けられ、前記少なくとも一方の植木用容器の外側にこれと関連する縦支柱を垂直に起立した状態に支持する支柱支持装置と、
２つの縦支柱間に張られるネットとを備え、
各植木用容器は、各植木用容器に投入される栽培土と共にグリーンカーテン用組立体の重石を構成する、グリーンカーテン用組立体。
【発明の詳細な説明】
【技術分野】
【０００１】
本発明は、グリーンカーテン用組立体キット及びグリーンカーテン用組立体に関する。
【背景技術】
【０００２】
住居の窓面の外側にネット等を介して育成されるいわゆるグリーンカーテンは、夏場等に、つる性の植物の枝や葉や花によって強い日差しを遮り、居住者に快適な緑陰を提供する。特に、午後に強い日差しが照りつける西向きの部屋では、遮光、遮熱をもたらすグリーンカーテンに対する要望は大きい。実際、夏の暑い日に、葉の形をした陰が室内の床の上で揺れるのを眺めるのは、それだけで涼味を喚起するものである。また、近年、都市部では、ヒートアイランド現象とも相俟って、夏期の暑熱は相当なものであり、クーラーは必需品となっているが、グリーンカーテンによってクーラーの稼動率を抑え、消費電力を低減させることに対する期待も大きい。グリーンカーテンによって、直射日光からパソコン等の電子機器を保護することもできる。グリーンカーテンによって野菜を育てることもできる。グリーンカーテンを室内の目隠しに利用することもできる。しかしながら、窓面の外側が、ネット等を設置するのに適した構造となっていない場合も多い。例えば、マンションのベランダ等である。通常、マンションのベランダ等には、くい打ちをしたり、ネット用の留め具を取付けたりするのに適当な個所がない。
【０００３】
そこで、マンションのベランダ等にも設置でき、窓の外側を緑化できる構造体が提案されている（特許文献１）。この構造体によって、ベランダ等にもグリーンカーテンを育成することができる。
【特許文献１】実用新案登録第３１１５６９９号公報
【発明の開示】
【発明が解決しようとする課題】
【０００４】
しかし、従来の構造体は、横長の重石の上に横長のプランタを載せ、それらの左右両端にネットを張るための支柱を取付ける構造となっているため、倒伏に対する安定性、特に前後方向の安定性の観点から改善の余地がある。また、部品点数も多く組立てが必ずしも容易ではないという問題がある。
【０００５】
本発明は、上述の問題点を解決するものであり、安定性に優れ、組立ても容易なグリーンカーテン用組立体キット及び組立体を提供するものである。
【課題を解決するための手段】
【０００６】
かかる目的を達成するため、本発明の１つの態様によれば、グリーンカーテン用組立体キットであって、グリーンカーテン用組立体の組立て時、平面上に隔置される２つの植木用容器と、それぞれ植木用容器のところから上方に延びる２つの縦支柱と、少なくとも一方の植木用容器に設けられ、上記少なくとも一方の植木用容器の外側にこれと関連する縦支柱を垂直に起立した状態に支持する支柱支持装置と、２つの縦支柱間に張られるネットとを備え、各植木用容器は、各植木用容器に投入される栽培土と共にグリーンカーテン用組立体の重石を構成する、グリーンカーテン用組立体キットが提供される。
【０００７】
本発明の別の態様によれば、グリーンカーテン用組立体であって、平面上に隔置される２つの植木用容器と、それぞれ植木用容器のところから上方に延びる２つの縦支柱と、少なくとも一方の植木用容器に設けられ、上記少なくとも一方の植木用容器の外側にこれと関連する縦支柱を垂直に起立した状態に支持する支柱支持装置と、２つの縦支柱間に張られるネットとを備え、各植木用容器は、各植木用容器に投入される栽培土と共にグリーンカーテン用組立体の重石を構成する、グリーンカーテン用組立体が提供される。
【発明の効果】
【０００８】
本発明によれば、２つの別個の植木用容器を用いるので、１つのプランタを用いる場合と比べ、製造や運搬に特に不都合をきたすことなく、比較的大型で容積の大きい、しかも安定性に優れた円形等の植木用容器をグリーンカーテン用組立体の重石として使用することができる。また、円形等の植木用容器のほかに、縦長に配置されたプランタのような植木用容器を使用することもできるので、前後方向を含むグリーンカーテン用組立体の安定性を確保することができる。部品点数も少なく、組立ても容易である。
【図面の簡単な説明】
【０００９】
【図１】本発明の第１の実施の形態に係るグリーンカーテン用組立体の全体図である。
【図２】本発明の第１の実施の形態に係る支柱支持装置を備えた植木鉢を示す図である。
【図３】本発明の第１の実施の形態に係る縦支柱の一部の縦断面図である。
【図４】図２に示す支柱支持装置の一部を構成する拘束リングと装着リングとを示す図である。
【図５】図２に示す支柱支持装置の一部を構成する緊締具の拡大図である。
【図６】図５に示す緊締具の一部をなす長ナットを示す図である。
【図７】図５に示す緊締具の一部をなす台枠の展開図である。
【図８】縦支柱の第１の縦支柱に下側横支柱を連結するために使用することができる固定具の一例を示す図である。
【図９】第１の縦支柱に第２の縦支柱を高さ調節可能に連結するために使用することができる固定具の一例を示す図である。
【図１０】第２の縦支柱に第３の縦支柱を上側横支柱を介して角度調節可能に連結するために使用することができる固定具の一例を示す図である。
【図１１】第３の縦支柱に傾斜部横支柱を連結するために使用することができる固定具の一例を示す図である。
【図１２】各横支柱の第１の横支柱に第２の横支柱を長さ調節可能に連結するために使用することができる固定具の一例を示す図である。
【図１３Ａ】ネット用枠体にネットを張架するために使用することができる留め具の一例を示す図である。
【図１３Ｂ】ネット用枠体にネットを張架するために使用することができる留め具の別の例を示す図である。
【図１３Ｃ】ネット用枠体にネットを張架するために使用することができる留め具のさらに別の例を示す図である。
【図１４Ａ】本発明の第１の実施の形態に係る支柱支持装置に支持された縦支柱の周方向位置と、ネットが植木鉢の上端開口の上方を横切る位置との関係を示す図であり、縦支柱が最外方に位置するときの図である。
【図１４Ｂ】本発明の第１の実施の形態に係る支柱支持装置に支持された縦支柱の周方向位置と、ネットが植木鉢の上端開口の上方を横切る位置との関係を示す図であり、縦支柱が約４５度後方に位置するときの図である。
【図１４Ｃ】本発明の第１の実施の形態に係る支柱支持装置に支持された縦支柱の周方向位置と、ネットが植木鉢の上端開口の上方を横切る位置との関係を示す図であり、縦支柱が最後方に位置するときの図である。
【図１５】本発明の第２の実施の形態に係る支柱支持装置を備えた植木鉢を示す図である。
【図１６】図１５に示す被着具の展開図である。
【図１７】図１５に示す緊締具の展開図である。
【図１８】図１５に示す被着具の変形例を示す図である。
【図１９】図１５に示す被着具のさらに別の変形例を示す図である。
【図２０】本発明の第３の実施の形態に係る支柱支持装置を備えた植木鉢を示す図である。
【図２１】本発明の第４の実施の形態に係る支柱支持装置を備えた植木鉢を示す図である。
【図２２】図２１に示す支柱支持装置の変形例を示す図である。
【図２３】本発明に係る支柱支持装置を備えた植木鉢と組合せて使用することができる、別発明に係る支柱支持装置を備えた植木鉢の一例を示す図である。
【発明を実施するための最良の形態】
【００１０】
以下、図面を参照して、本発明に係る実施の形態を説明する。なお、本書において、一般に、左右又は左右方向とは、グリーンカーテン用組立体の正面に向かって左右の方向をいい、前後又は前後方向とは、グリーンカーテン用組立体の正面に向かって手前側及び後側の方向をいう。
【実施例１】
【００１１】
図１において、グリーンカーテン用組立体１１は、地面、露台面、ベランダの床面等の平面上に左右に並べられる２つの植木鉢１２、１２と、植木鉢の上方に位置するネット用枠体１６と、ネット用枠体に張架されるネット２２とを備える。２つの植木鉢１２、１２の間には、１つ又は複数の別の植木鉢又はプランタを配置することができ、図示の例では２つのプランタ２７、２７が配置されている。各植木鉢１２とプランタ２７とには、栽培土２３が投入され、朝顔やゴーヤ等のつる性の植物が植栽される。つる性の植物がやがて成長し、ネット用枠体１６に張られたネット２２を伝って上方に延び、ネットの全面を覆うように繁茂すると、その枝葉や花や実によって、遮光や遮熱をもたらすグリーンカーテンが形成される。栽培土２３は、グリーンカーテン用組立体１１の組立て時、植木鉢１２、１２に投入され、植木鉢と共にグリーンカーテン用組立体の基礎となる重石を構成する。図中、３１、３１は、各植木鉢１２の一側に縦支柱１８を支持する支柱支持装置である。２８、２８・・・は、植木鉢１２、１２やプランタ２７、２７に生けられた植物のための支柱である。なお、グリーンカーテン用組立体は、台風の到来時等には強い風にも曝されるので、そのような風にも倒伏しない安定性が求められる。
【００１２】
図２は、植木鉢１２と、ネット用枠体１６（図１）の一部を構成する縦支柱１８と、植木鉢の一側に縦支柱１８を支持する支柱支持装置３１とを示す。各縦支柱１８は、支柱支持装置３１により、それぞれ関連する植木鉢１２に連結され、植木鉢の傍らで起立状態に支持される。
【００１３】
図２において、植木鉢１２は、断面円形の、下方に行くにつれて径が小さくなる側壁１３と、側壁の下端に位置する底壁１４とを有する。通常の植木鉢と同様の形状である。側壁１３の外周面には、図示の例で、２つのリブ１５、１５が異なる高さ位置にて一体的に形成されている。上側のリブ１５は、側壁１３の上端寄りに形成され、下側のリブ１５は下端寄りに形成されている。本実施の形態において、両リブ１５、１５間の距離は、上側のリブ１５の側壁上端からの距離又は下側のリブ１５の側壁下端からの距離よりも大きくなるように設定されている。底壁１４は、断面台形であり、通常の植木鉢と同様、中央に一段高く位置する底上げ部分１４ａを有している。水抜きを容易にするとともに、後に投入される栽培土の重量を支えるためである。図中、２４、２４は取っ手、２５、２５・・・は水抜き孔、２６は排水孔である。
【００１４】
縦支柱１８は、本実施の形態において、上方に延びる断面円形の筒体２９と、筒体の下端に設けられた円錐台形のフランジ３０とを備えている。フランジ３０は、図３に示すように、フランジ本体３０ａと、その上面中央に形成された断面円形の凸部３０ｂとを含む。凸部３０ｂには図示しない外ねじが形成され、筒体２９の下端には図示しない内ねじが形成されている。筒体２９とフランジ３０とは、上記内ねじと外ねじとの螺合によって着脱可能に結合されている。しかしながら、筒体２９とフランジ３０とを、ねじ以外の方法、例えば圧力ばめにより固着してもよく、又は一体的に形成してもよい。また、筒体２９の下端近傍又はフランジ３０に水抜き孔又は溝を形成してもよい。フランジ３０は、図示の例では円錐台形であるが、円錐台形以外の適宜の形状とすることもできる。フランジ３０は、比較的重量のある材料、例えばステンレス鋼で形成するのが好ましい。なお、別の実施の形態においては、この縦支柱１８の下端のフランジ３０を省略することもできる。次ぎに説明する支柱支持装置３１（図２）によるだけでも、縦支柱１８を植木鉢１２の一側に起立状態に支持することができるからである。
【００１５】
支柱支持装置３１は、本実施の形態において、金属製の丸棒で作られた２つの拘束リング３３、３３を備える。各拘束リング３３は、図４からよく分るように、これと同一平面内に位置する、同じく金属製の丸棒で作られた装着リング３４に連結部３５を介して溶接等により連結されている。拘束リング３３は、植木鉢１２の外側の、植木鉢に近接した位置で縦支柱１８を拘束し、装着リング３４は、植木鉢１２の外側面に装着されて、拘束リングを所定の高さ位置に固定支持する。拘束リング３３は、円形であり、縦支柱１８の筒体２９よりも大きい径を有し、フランジ３０よりも小さい径を有する。装着リング３４は、全体的に楕円形であり、拘束リング３３側では、植木鉢１２の外周面に沿うように湾曲し、反対側に行くにつれて、植木鉢の外周面から離れるように延びている。各装着リング３４は、それぞれ関連するリブ１５の直ぐ上の側壁１３上を周方向に延びる。装着リング３４は、開放リングであり、周方向の１個所に、図示の例では拘束リング３３とは反対側の個所に、端面同士が互いに対向する２つの直線部３６、３６を有する。これらの直線部には逆ねじ３７、３７が形成されている。２つの拘束リング３３、３３は、装着リング３４、３４が後述する緊締具３９、３９（図２）によって植木鉢１２の外側面に締付けられる時に、植木鉢の外側で上下に整列するように位置合わせされる。位置合わせされた拘束リング３３、３３には、縦支柱１８が挿通又は嵌挿される。拘束リング３３、３３と縦支柱１８との嵌め合いは、密であることが好ましい。なお、２つの拘束リング３３、３３は同一の形状を有し、装着リング３４、３４も同一の形状を有するが、植木鉢１２が下方に向かって小さくなる径を有していることから、上側の装着リング３４は下側の装着リング３４よりも若干径が大きい。また、下側の連結部３５は、上側の連結部３５よりも若干長軸である。拘束リング３３、３３を整列させるためである。
【００１６】
支柱支持装置３１は、さらに、各装着リング３４を植木鉢１２の外側面に対して締付けるための緊締具３９を備える。各緊締具３９は、図５、６からよく分るように、装着リング３４の直線部３６、３６（図４）を一連に連結する長ナット４０と、長ナットを植木鉢１２の外側面上に回転可能に支持する台枠４３とを備える。長ナット４０は、図示の例で、断面六角形の本体部３８と、本体部の両端面から側方に突出する、断面円形で、本体部よりも径の小さい回転部４１、４１とを含む。長ナット４０のねじ孔４２は、両回転部４１、４１の端面から軸線方向に延びている。台枠４３は、先端寄りの個所に円形孔４５が形成された一対の側板部４４、４４を備え、これらの円形孔には長ナット４０の回転部４１、４１が回転可能に嵌め込まれる。台枠４３は、さらに、側板部４４、４４をそれらの基端で繋ぐ、台形の底板部４７を備える。底板部４７は、長ナット４０の本体部３８と対向する第１の底板部４７ａと、第１の底板部の各側端から側板部４４の基端まで延びる傾斜した第２の底板部４７ｂとを備える。長ナット４０の本体部３８と第１の底板部４７ａとの間には、長ナットを握って回転させるために必要な隙間４８が形成される。各側板部４４の基端と、これと接続された第２の底板部４７ｂの基端とには、図５で見て、やや下方の位置に共通する凹所４６が形成されている。
【００１７】
植木鉢１２への装着時、各装着リング３４は植木鉢の外側面上に配置され、それぞれの直線部３６、３６が関連する長ナット４０のねじ孔４２、４２に螺着される。各台枠４３の凹所４６、４６は、関連するリブ１５に係合される。２つの拘束リング３３、３３は植木鉢１２の一側にて互いに上下一列に整列される。この状態で、各長ナット４０を回転させると、関連する装着リング３４が植木鉢１２の外側面に対して締付けられ、拘束リング３３を、装着リング３４を介して植木鉢の一側の所定の高さ位置に固定することができる。装着リング３４は、植木鉢のリブ１５の直ぐ上の側壁１３上に位置決めされることとなる。リブ１５は、台枠４３の２つの凹所４６、４６の間では、植木鉢の側壁１３と底板部４７との間を周方向に延びる。この緊締具３９による締付け固定により、緊締具自体も植木鉢の外側面に締付け固定される。上記整列された拘束リング３３、３３には、縦支柱１８が挿通される。
【００１８】
各緊締具３９の台枠４３は、本実施の形態において、図７に展開して示す１つの金属板４９を折り曲げることによって製作することができる。具体的には、図７において、金属板４９の左右の側板部４４、４４を形成する部分を、折曲げ線ｆ１、ｆ１に沿って図面向こう側に折り曲げる。このとき、各側板部４４の基端と第２の底板部４７ｂの基端とに上述の共通する凹所４６、４６が形成される。次いで、金属板４９の凹所４６、４６を含む両側部を折曲げ線ｆ２、ｆ２に沿って手前側に折り曲げる。これによって、１枚の金属板から台枠４３を簡単に製作することができる。なお、台枠４３は硬質合成樹脂又はその他の材料から一体的に形成してもよい。
【００１９】
かかる構成により、各縦支柱１８は、拘束リング３３、３３に拘束されて、栽培土と共に重石を構成する植木鉢１２にしっかりと連結され、植木鉢の外側の、植木鉢に近接した位置にて垂直に起立した状態に支持される。そして、これらの縦支柱１８、１８間にネット２２が張られる。そのため、安定性に優れ、組立ても容易なグリーンカーテン用組立体１１が形成される。縦支柱１８の下端のフランジ３０は、縦支柱がベランダの床面等の平面上で垂直に起立するのを支援する。上述のように、フランジ３０は省略することができるが、フランジを省略する場合は、縦支柱１８の下端を上記平面と接触させることが好ましい。
【００２０】
また、本実施の形態によれば、グリーンカーテン用組立体１１の組立て後において、縦支柱１８、１８を含むネット用枠体１６及びネット２２の重量は、直接的にはベランダの床面等の平面によって負担されることとなる。したがって、上方から植木鉢１２、１２にかかる負荷を減少させることができ、植木鉢を含むグリーンカーテン用組立体１１の安定性に寄与することができる。また、各縦支柱１８の下端のフランジ３０は、植木鉢１２、１２の最下端と同一平面上に位置するので、このことによってもグリーンカーテン用組立体１１の安定性に寄与することができる。さらに、各縦支柱１８の下端のフランジ３０は、縦支柱が上記平面上にいわば自立的に起立するのを可能にするので、植木鉢１２、１２にかかる負担をさらに減少させることができ、グリーンカーテン用組立体１１の安定性に資することができる。なお、下側の拘束リング３３を図２に示すよりも下方に位置するようにし、この拘束リング３３でフランジ３０を上方から押え込むようにしてもよい。
【００２１】
なお、本実施の形態では、２対の拘束リング３３、装着リング３４、及び緊締具３９を用いているが、これらは３対以上であっても、又は一対であってもよい。一対であっても、拘束リング３３が植木鉢１２の一側の適切な高さ位置で縦支柱１８を拘束し、フランジ３０と協働して縦支柱を垂直状態に支持することができればよいからである。但し、縦支柱１８の下端にフランジ３０を用いない場合は、少なくとも２つの拘束リング３３、３３（１つの装着リングに２つの拘束リングを連結する場合を含む。）を用いることが好ましい。また、本実施の形態では、各対の装着リング３４及び緊締具３９を、リブ１５を利用して植木鉢１２の側壁１３上に位置決めしているが、例えば、後述する第２の実施の形態のフック部１２２、１２２（図１９）と同様なフック部を上側の緊締具３９（図２）に設け、このフック部を上記側壁１３の上端に掛止するとともに、上側と下側の緊締具をワイヤ等で結ぶことにより、各対の装着リングと緊締具とを上記側壁１３上に位置決めすることもできる。この場合、植木鉢１２のリブ１５、１５を省略することもできる。また、本実施の形態では、拘束リング３３は溶接等により装着リング３４に連結され、装着リングと同一平面内に位置するとしているが、溶接等以外の、例えば適当な金具を用いて連結してもよい。また、必ずしも同一平面内に位置させる必要はない。上述のように、１つの装着リングに２つ以上の拘束リングを連結してもよい。また、１つの装着リングに上下貫通孔を有する筒状の拘束リングを連結してもよい。また、拘束リング３３は、金属以外の硬質合成樹脂又はその他の材料から形成してもよい。装着リング３４は、金属製であることが好ましい。拘束リング３３と装着リング３４とを、例えば金属製の丸棒を折り曲げて一体的に形成することもできる。また、拘束リング３３は、円形に限らず、縦支柱１８を拘束できれば正方形や三角形や、その他の形状であってもよい。これらのことは、妥当する限りにおいて、後述する各実施の形態においても同様である。
【００２２】
ネット用枠体１６は、図１から明らかなように、本体部１６ａを含み、本体部１６ａは、各植木鉢１２から上方に延びる縦支柱１８と、縦支柱１８、１８間に架設される下側横支柱１９及び上側横支柱２０とで構成される。
【００２３】
各縦支柱１８は、上述の、筒体２９と筒体の下端に取付けられたフランジ３０とを有する第１の縦支柱１８ａと、第１の縦支柱にスライド可能に挿入される第２の縦支柱１８ｂとを含む。第２の縦支柱１８ｂは、第１の縦支柱１８ａに突出高さ調節可能に固定される。そのための固定具を含む、ネット用枠体１６を組立てるために必要な固定具については、後述する。下側横支柱１９は、植木鉢１２、１２の直ぐ上で第１の縦支柱１８ａ、１８ａに連結される。上側横支柱２０は、第２の縦支柱１８ｂ、１８ｂの上端に連結される。下側横支柱１９も上側横支柱２０も、筒状の第１の横支柱１９ａ、２０ａ（図面右側）と、それぞれの第１の横支柱にスライド可能に挿入され固定される第２の横支柱１９ｂ、２０ｂ（図面左側）とを備える。第２の横支柱１９ｂ、２０ｂは、それぞれ第１の横支柱１９ａ、２０ａに突出長さ調節可能に固定される。したがって、各縦支柱１８及び横支柱１９、２０は全体として高さ又は長さ調節可能である。
【００２４】
ネット用枠体１６は、さらに、傾斜部１６ｂを含む。傾斜部１６ｂは、各第２の縦支柱１８ｂの上端から前方に傾斜する第３の縦支柱１８ｃと、第３の縦支柱１８ｃ、１８ｃの先端に架設される傾斜部横支柱２１とで構成される。第３の縦支柱１８ｃ、１８ｃの傾斜角度は、後述のように調節可能である。傾斜部１６ｂを設けたのは、夏の日差しは高い位置から照りつけるので、ここにもネット２２を張り、つる性の植物を繁茂させて、そのような日差しを遮るためである。
【００２５】
なお、ネット用枠体１６を構成する各支柱は、アルミニウム製であることが好ましいが、硬質合成樹脂製や、アルミニウム以外の金属製や、その他の材料製であってもよい。また、ネット用枠体１６を構成する各支柱の高さや長さや径は、グリーンカーテン用組立体１１をその前に設置しようとする窓面の大きさや、重石を構成する植木鉢１２、１２の大きさ等に応じて適宜決定することができる。
【００２６】
次に、図８〜１２を参照して、ネット用枠体１６を組立てるために必要な固定具又は固定手段について説明する。なお、これらの固定具は、使用することができる固定具の一例であり、これらに代えて適宜好適な固定具を用いることもできる。また、図１で見て、左側の第１、第２及び第３の縦支柱１８ａ、１８ｂ、１８ｃに、下側、上側及び傾斜部横支柱１９、２０、２１を連結する固定具と、右側の第１、第２及び第３の縦支柱１８ａ、１８ｂ、１８ｃに、下側、上側及び傾斜部横支柱１９、２０、２１を連結する固定具とは、実質的に同一なので、以下では左側での場合を例にとって説明する。
【００２７】
図８は、第１の縦支柱１８ａに下側横支柱１９（第２の下側横支柱１９ｂ）を連結するための固定具を示す。この固定具は、第１の縦支柱１８ａの周りに固定される第１の環体５１と、下側横支柱１９の端部に嵌着される第２の環体５７とを備える。第１の環体５１は、前端にコの字形の横係合部５２を有し、後端からは２つの脚部５３、５３が後方に延びている。各脚部５３にはボルト孔５４が形成されている。これらの脚部５３、５３の間は開放されている。第２の環体５７は、後端にコの字形の縦係合部５８を有する。第２の環体５７は閉鎖している。一方、下側横支柱１９の端部には、先端に外ねじ６０が形成され、外ねじから少し離れた個所には上下一対のストッパー突起６１、６１が形成されている。第２の環体５７は、外ねじ６０とストッパー突起６１、６１との間に嵌着される。６２は断面円形の抜け止めキャップであり、下側横支柱１９の外ねじ６０に対応する内ねじ（図示せず）を有し、また第２の環体５７の側面５９と当接する側面６３を有している。
【００２８】
第１の縦支柱１８ａに下側横支柱１９を連結するには、まず第１の環体５１内に脚部５３、５３の間から第２の環体５７を入れ、横係合部５２と縦係合部５８とを組合せる。その状態で、第１の縦支柱１８ａに第１の環体５１を外挿し、ボルト孔５４、５４にボルト５５を挿通し、蝶ナット５６で締付け、固定する。その際、ボルト５５を挿入する側のボルト孔５４の周りにボルトのヘッドに対応する形状の凹み（図示せず）を設けておくと、蝶ナット５６による締付け時にボルトが回転しないので便宜である。そして、第２の環体５７に下側横支柱１９の端部を、ストッパー突起６１、６１が第２の環体５７の側面に当接するまで挿入する。その後、第２の環体５７の反対側に突出した下側横支柱１９の端部に抜け止めキャップ６２を締付ける。これにより、第１の縦支柱１８ａに下側横支柱１９をしっかりと固定することができる。なお、図中、６４は第１の環体５１の内側面に形成された向き決め突起であり、第１の縦支柱１８ａに形成された図示しないくぼみと係合して、第２及び第３の縦支柱１８ｂ、１８ｃを含む縦支柱１８の向きを定める働きをする。
【００２９】
図９は、第１の縦支柱１８ａに第２の縦支柱１８ｂを固定するための固定具を示す。第１の縦支柱１８ａには上端近くに１つの横貫通孔６５が形成されている。第２の縦支柱１８ｂには、複数（図示の例では３つ）の横貫通孔６６、６６・・・が上下方向に一定の間隔で形成されている。第１の縦支柱１８ａの横貫通孔６５に、第２の縦支柱１８ｂのいずれかの横貫通孔６６を位置合わせし、それらの位置合わせされた横貫通孔６５、６６に側方からボルト６７を挿通する。そして、反対側に突出したボルトの軸部に蝶ナット６８をねじ付け、締付けることにより、第１の縦支柱１８ａに第２の縦支柱１８ｂを固定することができる。したがって、第１の縦支柱１８ａの横貫通孔６５と位置合わせされる第２の縦支柱１８ｂの横貫通孔６６を適宜選択し、ボルト締めすることにより、第２の縦支柱の第１の縦支柱からの突出長さ又は高さを調節することができる。この場合、図８に関連して説明したのと同様に、ボルト６７を挿入する側の、第１の縦支柱１８ａの横貫通孔６５の周りに、ボルトのヘッドに対応する凹み（図示せず）を形成しておくと、蝶ナット６８による締付け時にボルト６７が回転しないので、便宜である。図中、６９は、第２の縦支柱１８ｂの表面に上下方向に形成された、横貫通孔６６、６６・・・の間を結ぶ探り溝であり、この探り溝に第１の縦支柱１８ａの横貫通孔６５に挿入されたボルト６７の先端をあてがい、その状態で第２の縦支柱１８ｂをスライドさせると、目的とする横貫通孔６６を容易に探り当てることができるので、有利である。なお、雨水が侵入するのを防ぐ目的で、両縦支柱１８ａ、１８ｂの締付け固定後、第１の縦支柱１８ａの上端で第２の縦支柱１８ｂとの間に防水パテを塗布してもよく、それに加えて、ボルト６７と蝶ナット６８とをゴムシールを介して締付けるようにしてもよい。
【００３０】
図１０は、第２の縦支柱１８ｂに上側横支柱２０（第２の上側横支柱２０ｂ）を連結するとともに、第３の縦支柱１８ｃを角度調節可能に固定するための固定具を示す。第２の縦支柱１８ｂの上端には、圧力ばめ等により先端具７０が固着されている。先端具７０は、横幅又は厚み幅の小さい環部７１を含み、環部７１は、上側横支柱２０の端部を挿通するための挿通孔７２を有する。環部７１の挿通孔７２を規定する内周面には、複数（図示の例では３つ）の凹部、具体的には上方、斜め上方及び前方に延びる凹部７３、７３・・・が形成されている。上側横支柱２０の端部には、先端に外ねじ７４が形成され、外ねじから少し離れた個所には上下一対のストッパー突起７５、７５が形成され、外ねじ７４とストッパー突起７５、７５との間には軸線方向に延びる１つの突条７６が形成されている。一方、第３の縦支柱１８ｃは基端に圧力ばめ等により固着された基端具７７を有する。基端具７７は、二股状に形成された２つの、厚み幅の小さい環部７８、７８を有し、各環部には上側横支柱２０の端部を通すための挿通孔７９（一方の挿通孔のみ図示）が形成されている。各環部７８の挿通孔７９を規定する内周面には、基端具７７の軸線方向に沿う１つの凹部８０が形成されている。８１は断面円形の抜け止めキャップであり、上側横支柱２０の外ねじ７４に対応する内ねじ（図示せず）を有し、また基端具７７の側面と当接する側面８２を有する。
【００３１】
各支柱１８ｂ、２０、１８ｃを互いに組付けるには、まず先端具７０の環部７１の左右両側に基端具７７の環部７８、７８を跨置し、挿通孔７２と挿通孔７９、７９とを整列させ、環部７１の選択されたいずれかの凹部７３と環部７８、７８の凹部８０、８０とを位置合わせする。次いで、これらの挿通孔７９、７２、７９に上側横支柱２０の端部を、凹部８０、７３、８０に突条７６を沿わせながら、ストッパー突起７５、７５が基端具７７の側面に当接するまで挿入する。最後に、反対側に突出した上側横支柱２０の端部に抜け止めキャップ８１を螺合させ、締付ける。これにより、第２の縦支柱１８ｂに上側横支柱２０を連結するとともに、第３の縦支柱１８ｃを所望の角度で固定することができる。
【００３２】
図１１は、第３の縦支柱１８ｃに傾斜部横支柱２１（第２の傾斜部横支柱２１ｂ）を連結するための固定具を示す。第３の縦支柱１８ｃは先端に圧力ばめ等により固着された先端具８３を有する。先端具８３は、厚み幅の小さい環部８４を含み、環部８４は、傾斜部横支柱２１の端部を挿通するための挿通孔８５を有する。傾斜部横支柱２１の端部には、先端に外ねじ８６が形成され、また外ねじ８６から少し離れた個所には上下一対のストッパー突起８７、８７が形成されている。８８は断面円形の抜け止めキャップであり、傾斜部横支柱２１の外ねじ８６に対応する内ねじ（図示せず）を有し、また先端具８３の側面と当接する側面を有する。第３の縦支柱１８ｃに傾斜部横支柱２１を連結するには、先端具８３の挿通孔８５に傾斜部横支柱２１の端部を、ストッパー突起８７、８７が環部８４に当接するまで挿入する。次いで、反対側に突出した傾斜部横支柱２１の端部に抜け止めキャップ８８を螺合させ、締付ける。これにより、第３の縦支柱１８ｃの上端に傾斜部横支柱２１を容易に固定することができる。
【００３３】
図１２は、各横支柱、具体的には下側、上側及び傾斜部横支柱１９、２０、２１（図１）の、図面右側の第１の横支柱１９ａ、２０ａ、２１ａに左側の第２の横支柱１９ｂ、２０ｂ、２１ｂを固定するための固定具を示す。これらの横支柱１９、２０、２１は、いずれも構成が実質的に同一なので、以下、下側横支柱１９を例にとって説明する。この固定具は、第１の下側横支柱１９ａの第２の下側横支柱１９ｂ側の端部に形成されたボルト孔８９と、蝶ボルト９０とを含む。ボルト孔８９は、雨水の侵入を防ぐため、図示のように、第１の下側横支柱１９ａの下面側に位置させるのが好ましい。第２の下側横支柱１９ｂは、十分なスライド代を残して、第１の下側横支柱１９ａに挿入される。第２の下側横支柱１９ｂの第１の下側横支柱１９ａからの突出長さを決定した後に、ボルト孔８９に蝶ボルト９０をねじ込んで締付けることにより、第２の下側横支柱１９ｂを容易に第１の下側横支柱１９ａに固定することができる。または、上述の固定具に代えて、第２の下側横支柱１９ｂに図示しない筒体を外挿しておき、これを第１の下側横支柱１９ａの端部にて第２の下側横支柱１９ｂとの間に挟入し、固定することもできる。あるいはまた、第１及び第２の下側横支柱１９ａ、１９ｂの間を特に固定しなくても不都合はなく、固定しないことも考えられる。
【００３４】
上述のように構成されるネット用枠体１６にネット２２が張架される。次に、図１３Ａ〜１３Ｃを参照して、ネット用枠体１６にネット２２を掛止するための、本発明による留め具について説明する。これらの留め具は、いずれを使用してもよく、また併用することもできる。また、これらに代えて別の適宜の手段を用いてネット２２を掛止することもできる。
【００３５】
図１３Ａの留め具９１ａは、略８の字形であり、１本のワイヤで構成される。ワイヤは、８の字の中央部分で上下に交差し、一方の側（図面左側）に、縦支柱１８又は横支柱１９、２０、２１に外挿される大径の輪っか部９４を形成し、他方の側（図面右側）に、ネット２２の網目を拘束する小径の輪っか部９５を形成している。ワイヤの両端部９２、９２は、小径の輪っか部９５の大径の輪っか部９４とは反対側で上下に交差し、内方に屈曲している。両端部９２、９２は、互いに弾性的に接離して、それらの間からネット２２の網目が掛脱されるのを可能にする。かかる構成の留め具９１ａによれば、縦支柱１８又は横支柱１９、２０、２１に大径の輪っか部９４を挿着した後は、小径の輪っか部９５にネット２２の網目を掛止することにより、簡単にネットを張ることができる。また、一度小径の輪っか部９５に掛止された網目は、自然の力によっては小径の輪っか部９５から離脱しがたく、安定してネット２２を保持することができる。また、ネット２２を取外すときも、留め具９１ａ自体を取外す必要はなく、小径の輪っか部９５の両端部９２、９２の間からネットの網目を抜取ればよい。このように、留め具９１ａによれば、簡単確実にネット２２を張ることができ、取外すこともできる。なお、図示の例において、ワイヤの中央部分での交差と、両端部９２、９２の交差とは、互いに上下が逆になっている。ネット２２の抜け止めをより確実にするためである。
【００３６】
図１３Ｂの留め具９１ｂは、小径の輪っか部９５の内方に屈曲する両端部９３、９３が上下に交差せず、互いに隣接して同一平面内に位置する点で、図１３Ａの留め具９１ａと異なる。留め具９１ｂの場合も、上記両端部９３、９３が、互いに弾性的に接離して、それらの間からネット２２の網目が掛脱されるのを可能にする。一度掛止されたネット２２の網目が自然の力によっては小径の輪っか部９５から離脱しがたいのは、留め具９１ａの場合と同様である。この留め具９１ｂによっても、簡単確実にネット２２を張ることができ、取外すことができる。
【００３７】
図１３Ｃの留め具９１ｃは、大径の輪っか部９６と小径の輪っか部９７とが、それぞれ別個の第１のワイヤ９８と第２のワイヤ９９とで構成される点で、図１３Ａ、１３Ｂの留め具９１ａ、９１ｂと異なる。留め具９１ｃは、第１のワイヤ９８が小径の輪っか部９７に通され、その状態で縦支柱１８又は横支柱１９、２０、２１の周りに巻かれ、ねじられて、縦支柱又は横支柱に取付けられる。留め具９１ｃの小径の輪っか部９７は、図１３Ａの小径の輪っか部９５と同様な形状と機能とを有する。留め具９１ｃは、図１３Ａ、１３Ｂの留め具９１ａ、９１ｂでは、大径の輪っか部９４を縦支柱１８又は横支柱１９、２０、２１の所定の個所に挿着しにくいような場合に、特に有用である。
【００３８】
図１３Ａ〜１３Ｃの留め具９１ａ〜９１ｃは、縦支柱１８又は横支柱１９、２０、２１に外挿され又は巻きつけられる大径の輪っか部９４、９６以外に、特に縦又は横支柱に対する係止手段を有していない。しかしながら、留め具９１ａ〜９１ｃは、ネット２２の網目を拘束することにより、ネットによって所定の位置に止められる。例えば、縦支柱１８と横支柱１９（又は２０、２１）とにより構成される角部において、縦支柱に１つの留め具９１を取付け、横支柱に別の留め具９１を取付け、これらの２つの留め具に同じ１つの網目を、９０度異なる方向から拘束させることにより、これらの留め具は、所定の位置に止まって、ネットを保持することができる。また、これにより、使用される他の留め具９１も、縦支柱１８又は横支柱１９（又は２０、２１）の中間で、所定の位置に止まって、ネットを保持することができる。
【００３９】
次に、グリーンカーテン用組立体１１の組立て手順について説明する。しかしながら、グリーンカーテン用組立体１１は、部品点数が少なく、構造も簡潔なことから、以下に例示する手順に限らず、さまざまな手順によって組立てることができる。
【００４０】
まず、事前に、第１の下側横支柱１９ａ、第１の上側横支柱２０ａ、及び第１の傾斜部横支柱２１ａに、それぞれ第２の下側横支柱１９ｂ、第２の上側横支柱２０ｂ、及び第２の傾斜部横支柱２１ｂを挿入して、伸縮可能な下側横支柱１９、上側横支柱２０、及び傾斜部横支柱２１を準備しておくとよい。また、これらの各支柱（但し、上側横支柱２０を除く。）に必要な数の留め具９１を外挿しておくとよい。外挿しておくのは、特に図１３Ａ又は１３Ｂの留め具９１ａ、９１ｂである。図１３Ｃの留め具９１ｃは、必要に応じていつでも各支柱に取付けることができる。上側横支柱２０に留め具９１を挿着しておかないのは、後述するように、特に留め具を用いる必要のない支柱だからである。なお、必要な留め具の数は、適宜選択することができる。また、栽培土を用意しておく。
【００４１】
次いで、窓面の前の、ベランダの床面等の平面上に、支柱支持装置３１を装着した２つの植木鉢１２、１２を隔置し、各植木鉢に第１の縦支柱１８ａを連結する。そのためには、各植木鉢１２を横にし、植木鉢に装着された２つの拘束リング３３、３３に、下側から又は上側から、第１の縦支柱１８ａの筒体２９を挿通する。上側から挿通するときは、挿通後に筒体２９の下端にフランジ３０を螺着する。次いで、各植木鉢１２を起こし、上記平面上に第１の縦支柱１８ａをフランジ３０を介して垂直に起立させる。または、まず２つの拘束リング３３、３３に第１の縦支柱１８ａを挿通し、その後これらの拘束リングを装着リング３４、３４を介して植木鉢１２に装着し、第１の縦支柱１８ａをフランジ３０を介して上記平面上に起立させる。次に、第１の縦支柱１８ａに上方から、第２の縦支柱１８ｂを挿入し、第２の縦支柱１８ｂの先端具７０が第１の縦支柱１８ａの上端と当接するまで下降させる。すると、先端具７０は、目の高さ又は十分手の届く高さに位置することとなり、その後の組付け作業を容易に進めることができる。なお、第１の縦支柱１８ａには、第２の縦支柱１８ｂの分を含めて必要な数の留め具９１を挿着しておくと便宜である。
【００４２】
次に、図１０に関連して説明したように、各先端具７０に、上側横支柱２０と第３の縦支柱１８ｃとを連結する。上述のように、第３の縦支柱１８ｃ、１８ｃの傾斜角度はこの時に定められる。次いで、図１１に関連して説明したように、各第３の縦支柱１８ｃの先端具８３に、傾斜部横支柱２１を連結する。このとき、必要であれば脚立を用いる。この段階では、上側横支柱２０と傾斜部横支柱２１とは、作業中に加えられる力によって容易に長さ調節可能である。次いで、縦支柱１８、１８間の幅を確認し、適切であれば、そのまま蝶ボルト９０（図１２）を用いて、第２の上側横支柱２０ｂを第１の上側横支柱２０ａに、また第２の傾斜部横支柱２１ｂを第１の傾斜部横支柱２１ａに固定する。上記幅が適切でなければ、一方又は双方の植木鉢１２、１２を動かして、上側横支柱２０及び傾斜部横支柱２１の長さを調節し、その後に蝶ボルト９０で固定する。これにより、上側横支柱２０と傾斜部横支柱２１の長さが定められる。次いで、傾斜部横支柱２１を含む傾斜部１６ｂに予め外挿しておいた留め具９１に、ネット２２を掛止し、ネット２２が上側横支柱２０の後側に垂下るようにする。ネット２２が傾斜部１６ｂから上側横支柱２０の後側に垂下ることから、上側横支柱２０に留め具９１を用いてネットを掛止する必要は特にないが、留め具を用いて掛止してもよい。なお、留め具９１ａ、９１ｂを使用することが困難な個所があれば、図１３Ｃの留め具９１ｃを用いればよい。
【００４３】
また、傾斜部横支柱２１にネット２２を掛止するには、特に留め具９１を用いず、ネット上端の横列の網目に傾斜部横支柱２１を順次通して行くようにしてもよい。その場合は、そのようにしてネット２２を掛止した傾斜部横支柱２１を事前に用意しておくとよい。
【００４４】
次に、各第２の縦支柱１８ｂにネット２２を掛止する。そのためには、第２の縦支柱１８ｂに外挿しておいた留め具９１（第１の縦支柱１８ａに第２の縦支柱１８ｂの分も外挿しておいた場合は、第２の縦支柱に引上げられたそれらの留め具９１）に、高い位置にある留め具の順に、ネット２２の側部の網目を順次掛止して行く。そして、掛止して行きながら、第２の縦支柱１８ｂを徐々に上方に押上げて行く。その際、第１の縦支柱１８ａの横貫通孔６５（図９）にボルト６７を挿通し、順次第２の縦支柱１８ｂの横貫通孔６６、６６・・・に仮止めしながら、ネット２２を掛止して行くと便宜である。そして、そのようにして所望の高さまで各第２の縦支柱１８ｂを押上げたら、図９のボルト６７と蝶ナット６８とにより、第１の縦支柱１８ａに第２の縦支柱１８ｂを固定する。次いで、各第１の縦支柱１８ａに予め外挿しておいた留め具９１にも、ネット２２の側部の網目を順次掛止して行く。次に、図８に関連して説明したように、第１の縦支柱１８ａ、１８ａに下側横支柱１９を連結するとともに、図１２に関連して説明したように、第１の下側横支柱１９ａに第２の下側横支柱１９ｂを蝶ボルト９０で固定する。そして、下側横支柱１９にも留め具９１を介してネット２２の下端を止着する。ネット２２の左右幅又は上下幅に余る部分がある場合は、丸めて、隣接する縦支柱１８又は下側横支柱１９に括りつけておくこともできる。なお、上述のように下側横支柱１９を最後に第１の縦支柱１８ａ、１８ａに連結するのは、作業する足もとの妨げとならないようにするためである。上述の説明からも明らかなように、ネット２２が張られる縦支柱１８、１８間の距離は、グリーンカーテン用組立体１１の組立て時又は組立て後であっても、一方又は双方の植木鉢１２、１２をベランダの床面等の平面上で移動させることにより容易に変更することができる。
【００４５】
最後に、２つの植木鉢１２、１２に栽培土を投入する。これにより、グリーンカーテン用組立体１１の基礎部分に重石が形成される。その後、栽培土につる性の植物を生ける。また、植木鉢１２、１２の間には、１つ又は複数の別の植木鉢又はプランタを配置することができるので、これらの植木鉢又はプランタにも栽培土を投入し、つる性の植物を生けるとよい。
【００４６】
図１４Ａ〜１４Ｃは、左側の植木鉢１２を例にとって、植木鉢における縦支柱１８の周方向位置と、ネット２２が植木鉢の上端開口の上方を横切る位置との関係を示す。縦支柱１８は植木鉢１２の側部に位置するので、その周方向位置は、植木鉢を垂直軸の周りで回転させることにより変化し、それとともに、ネット２２が植木鉢の上方を横切る位置も変化する。縦支柱１８の周方向位置及びネット２２が植木鉢の上方を横切る位置は、グリーンカーテン用組立体１１の安定性等の観点から考慮を要する。
【００４７】
図１４Ａでは、縦支柱１８は、植木鉢１２の上端開口を前後に二等分する横径ｄｔの延長線上に位置するように、植木鉢が置かれている。したがって、ネット２２も、横径ｄｔに沿って、植木鉢１２の前後方向中央にて植木鉢の上方を横切っている。図１４Ｂでは、植木鉢１２は、図１４Ａの場合と比べ、約４５度時計方向に回転され、縦支柱１８もその分後方に位置している。そのため、ネット２２も、約４５度後方にずれた位置で植木鉢の上方を横切っている。図１４Ｃでは、植木鉢１２は図１４Ａの場合と比べ約９０度回転され、縦支柱１８は、植木鉢の上端開口を左右にニ等分する縦径ｄｌ（図１４Ａ）の延長線上に位置するようにされている。そのため、ネット２２も植木鉢１２の後端の位置で植木鉢の上方を横切っている。図１４Ａのように植木鉢１２を配置して縦支柱１８、１８間にネット２２を張架した場合は、倒伏防止の観点からは最大の安定性が得られよう。図１４Ｂの場合は、植木鉢１２内の、ネット２２の下方前方に、図１４Ａの場合よりも広い植物の植栽スペースを確保することができる。図１４Ｃの場合は、植木鉢１２内の、ネット２２の下方前方に、最大の広さの植栽スペースを確保することができる。したがって、グリーンカーテン用組立体１１が設置される環境や、植木鉢１２、１２の大きさや、ネット２２（及びネット用枠体１６）の重量等を考慮し、最適な縦支柱１８の周方向位置を決定して、グリーンカーテン用組立体１１を組立てるとよい。
【実施例２】
【００４８】
次に、図１５〜１９を参照して、第２の実施の形態に係る支柱支持装置１０３について説明する。第２の実施の形態は、この植木鉢１２に縦支柱１８を連結する支柱支持装置の点を除き、第１の実施の形態と同様である。そのため、第１の実施の形態と同様な部分については同様の参照番号を付し、その説明を省略する。以下にはこの支柱支持装置１０３についてのみ説明する。
【００４９】
図１５において、支柱支持装置１０３は、拘束リング１０９、１０９を担持する被着具１０７を備える。被着具１０７は、植木鉢１２の外側面に縦長に被着される本体部１０８（被着具１０７の展開図である図１６も参照）と、本体部の上端及び下端から外方に突出する、互いに整列された２つの拘束リング１０９、１０９と、本体部１０８の両側部から側方に延びる翼板部１１０、１１０とを備える。本体部１０８の下方寄りの両側部には、左右に一対ずつの突起１１１ａ、１１１ｂが形成されている。また、各翼板部１１０の側端（外側側端）には、植木鉢１２のリブ１５、１５に対応する位置に半円形の切欠き１１２、１１２が形成されている。被着具１０７は、左右の両翼板部１１０、１１０が植木鉢１２の側壁１３と当接し、切欠き１１２、１１２がリブ１５、１５と係合して、植木鉢の外側面上に位置決めされる。後述する装着リング１０５は、被着具１０７上を、上記突起１１１ａ、１１１ｂの間を通って横切り、下側のリブ１５よりも高い位置にて植木鉢１２の外側面上を周方向に延びる。
【００５０】
被着具１０７は、図１６に展開図で示すように、１つの金属板１１３を折り曲げることによって製作することができる。具体的には、図１６において、拘束リング１０９を形成する各部分を折曲げ線ｆ３に沿って図面手前側に折り曲げ、本体部１０８の左右両側の、翼板部１１０を形成する各部分を折曲げ線ｆ４に沿って向こう側に折り曲げ、突起１１１ａ、１１１ｂを形成する、三方で切れ込みが入れられた各部分を折曲げ線ｆ５で手前側に折り曲げて起立させればよい。翼板部１１０、１１０を折曲げ線ｆ４、ｆ４に沿って向こう側に折り曲げる際には、植木鉢１２への装着時に本体部１０８と植木鉢の側壁１３との間に一定の締付け代が形成されるように折り曲げるのが好ましい。このように、被着具１０７を介して２つの拘束リング１０９、１０９を、１つの金属板から容易に製作することができる。なお、被着具１０７は、硬質合成樹脂又はその他の材料から一体的に形成してもよい。
【００５１】
支柱支持装置１０３は、さらに、植木鉢１２の外側面に装着される装着リング１０５と、上記外側面に装着リングを締付け固定するための緊締具１１５とを備える。装着リング１０５は、第１の実施の形態と異なり、１つの装着リングのみが用いられている。装着リング１０５は、本実施の形態において、金属製の帯状板で作られた開放リングであり、植木鉢１２の縦支柱１８側とは反対側に位置する２つの開放端部を有し、これらの開放端部には矩形の連結環１０６ａ、１０６ｂが締結されている。装着リング１０５は、上記突起１１１ａ、１１１ｂの間を通って被着具１０７上を横断し、両開放端部が緊締具１１５により連結環１０６ａ、１０６ｂを介して一連に連結されることにより、植木鉢１２の外側面に被着具を締付け固定する。被着具１０７が締付け固定されると、２つの拘束リング１０９、１０９は、植木鉢の一側で所定の高さ位置に固定される。
【００５２】
本実施の形態の緊締具１１５は、レバークランプであり、支持台１１６とレバー１１７との２つの部分から構成される（緊締具１１５の展開図である図１７も参照）。支持台１１６は、植木鉢１２の外周面の一部に沿うように延びる横長の底板部１１８と、底板部の一端（図面前側の一端）に形成された係合突起１２０と、底板部１１８の他端寄りの個所から起立する２つの支持板部１１９、１１９とを備える。支持板部１１９、１１９は、それらの間に所定の間隔を有し、角部が丸められた先端側には軸孔１２１、１２１（図１７）が形成されている。レバー１１７は、先細りとなった２つの側板部１２３、１２３と、これらの側板部間を繋ぐ上板部１２４（図１７）とを含む。側板部１２３、１２３は、基端側に、上記支持板部１１９、１１９の軸孔１２１、１２１に対応する軸孔１２５、１２５を有する。各側板部１２３は、また、支持台１１６の底板部１１８と対向する側に形成された略Ｌ字形の係合突起１２６を有する。上板部１２４（図１７）は、側板部１２３、１２３の長さ方向の中間寄りの位置でこれらの側板部を連結している。レバー１１７は、各側板部１２３の軸孔１２５と各支持板部１１９の軸孔１２１に挿通される支軸１３０を介して、支持板部１１９、１１９に矢印ａ、ｂの方向に回動可能に組み付けられる。図中、１２７、１２７はレバー１１７の各側板部１２３に形成されたピン孔であり、これらのピン孔には図示しない補強ピンが止着される。
【００５３】
緊締具１１５は、図１７に展開して示す金属板１２８、１２９を折り曲げることによって製作することができる。金属板１２８は支持台１１６を製作し、金属板１２９はレバー１１７を製作するのに使用される。具体的には、金属板１２８について、支持板部１１９、１１９を形成する部分を折曲げ線ｆ６、ｆ６に沿って図面手前側に折曲げ、また係合突起１２０を形成する部分を、折曲げ線ｆ７に沿って手前側に、次いでｆ８に沿って底板部１１８と平行となるように、折り曲げる。また、金属板１２９について、側板部１２３、１２３を形成する部分を折曲げ線ｆ９、ｆ９に沿って手前側に、両者が上板部１２４を間に挟んで平行となるように折り曲げる。そして、このようにして形成されたレバー１１７に図示しない補強ピンを装着し、支軸１３０を介して支持台１１６に回動可能に連結すればよい。このように、緊締具１１５は２つの金属板から容易に製作することができる。なお、支持台１１６とレバー１１７とは、それぞれ金属製の丸棒を折り曲げて形成してもよく、硬質合成樹脂又はその他の材料から形成してもよい。
【００５４】
植木鉢１２への装着時、植木鉢の外側面に支持台１１６の底板部１１８を横長にあてがい、底板部の一端の係止突起１２０に装着リング１０５の連結環１０６ａを係合させ、レバー１１７の係止突起１２６、１２６に連結環１０６ｂを係合させる（図１５）。その際、底板部１１８の図面下側の側端を下側のリブ１５と当接させて、底板部１１８、したがって緊締具１１５を所定の高さ位置に位置決めするようにする。係合突起１２６、１２６に連結環１０６ｂを係合させるためには、レバー１１７を矢印ａの方向に回動させ、レバーの先端に連結環１０６ｂを引っ掛け、そのままレバー１１７を矢印ｂの方向に少し回動させればよい。連結環１０６ｂは側板部１２３、１２３の縁部（底板部１１８に対向する側の側部）に沿って摺動し、係合突起１２６、１２６と係合する。連結環１０６ｂが係合突起１２６、１２６と係合した状態で、レバー１１７をさらに矢印ｂの方向に回動させると、装着リング１０５の抵抗により、レバーは矢印ａの方向に引張られる。この状態でレバー１１７をさらに矢印ｂの方向に回動させると、レバーは支軸１３０を中心としてカチッとスナップ移動し、係合突起１２６、１２６又は側壁部１２３、１２３が底板部１１８に突当たる。これにより、レバー１１７は今度は矢印ｂ又は底板部１１８の方向に引張られることとなり、緊締具１１５は装着リング１０５を締付けた状態で植木鉢１２の外側面にしっかりと固定され、それとともに、装着リング１０５の開放端部（連結環１０６ａ、１０６ｂ）を一連に連結する。このように、レバークランプ型の緊締具１１５によれば、被着具１０７をいわばワンタッチで植木鉢１２の外側面に締付け固定することができ、拘束リング１０９、１０９を植木鉢の一側の所定の位置に固定することができる。縦支柱１８のフランジ３０が縦支柱の起立を支援することは、第１の実施の形態と同様である。
【００５５】
かかる構成によれば、縦支柱１８を拘束する２つの拘束リング１０９、１０９を容易に製作することができる。また、これらの拘束リング１０９、１０９を植木鉢１２の一側に容易に位置付けることができる。また、各拘束リング１０９の高さ位置を、装着リング１０５の高さ位置とは別個に設定することができる。図１５に示す例においても、下側の拘束リング１０９は、縦支柱１８のフランジ３０の上面に隣接し、これを上方から押え込むように位置している。なお、本実施の形態では、図１５に１つの装着リング１０５と緊締具１１５とを示しているが、２つ以上の装着リングと緊締具とを用いて被着具１０７を固定してもよい。また、本実施の形態では、緊締具１１５を所定の高さ位置に位置付けるために底板部１１８の下側側端を下側のリブ１５と当接させているが、これは必ずしも必要ない。被着具１０７が切欠き１１２、１１２・・・とリブ１５、１５との係合により位置決めされるので、装着リング１０５を介して緊締具１１５も所定の高さ位置に位置決めされるからである。したがって、緊締具１１５を下側のリブ１５から離して配置してもよい。また、図１５に示す例のように、下側の拘束リング１０９をフランジ３０と当接させて配置した場合は、これにより、被着具１０７も、また装着リング１０５を介して緊締具１１５も、所定の高さ位置に位置決めされるので、リブ１５、１５を省略することもできる。
【００５６】
図１８は、本実施の形態に係る被着具１０７の変形例を展開図で示すものである。この変形例の被着具１０７’は、被着具１０７における両翼板部１１０、１１０と、各翼板部に形成された切欠き１１２、１１２とを有していない。被着具１０７’は、上記切欠き１１２、１１２に代えて、本体部１０８に形成された上下２つの凹部１１４、１１４を有する。被着具１０７’は、その他の点では、金属板１１３’の折曲げ線ｆ３、ｆ５での折り曲げ方を含め、被着具１０７と同様である。被着具１０７’は、被着具１０７と同様、装着リング１０５（図１５）がその上を突起１１１ａ、１１１ａと１１１ｂ、１１１ｂとの間を通って横切り、その後緊締具１１５により緊締されることによって、植木鉢１２の外側面に締付け固定される。その際、凹部１１４、１１４はリブ１５、１５と係合される。このような簡略化された被着具１０７’を介して、上下２つの拘束リング１０９、１０９を製作することもできる。なお、少なくとも装着リング１０５が横切る、上記突起１１１ａ、１１１ｂが形成された個所の近辺で、本体部１０８の両側部間を図面前方に突出するように湾曲させると、補強の観点から好ましい。
【００５７】
図１９は、本実施の形態に係る被着具１０７のさらに別の変形例を展開図で示すものである。この変形例の被着具１０７’’は、植木鉢１２の側壁１３の上端に掛止されるフック部１２２、１２２を有する点で、図１６の被着具１０７と異なる。また、被着具１０７’’は、被着具１０７の各翼板部１１０に形成された切欠き１１２、１１２を有していない。各フック部１２２は、図１９において、金属板１１３’’の翼板部１１０の側部上端から上方に延びる延長部を、折曲げ線ｆ１０に沿って図面向こう側に、次いで折曲げ線ｆ１１に沿って下方に折り曲げることにより形成される。被着具１０７’’は、フック部１２２、１２２が植木鉢１２の側壁１３に上方から嵌めこまれて、植木鉢の外側面に掛止される。そして、装着リング１０５（図１５）が被着具１０７’’の上を突起１１１ａ、１１１ｂの間を通って横切り、その後緊締具１１５により緊締されることによって、植木鉢１２の外側面に締付け固定される。本変形例の場合、被着具１０７’’の位置決めはフック部１２２、１２２によってなされる。フック部１２２、１２２によって、植木鉢１２の外側面の所定の高さ位置に位置決めされる。そのため、緊締具１１５も、装着リング１０５を介して所定の高さ位置に位置決めされる。したがって、本変形例を用いる場合は、植木鉢１２にリブ１５、１５を設ける必要はない。そのことから、被着具１０７’’は、上述のように切欠き１１２、１１２を有していない。
【実施例３】
【００５８】
次に、図２０を参照して、第３の実施の形態に係る支柱支持装置１３１について説明する。第３の実施の形態は、この植木鉢１２に縦支柱１８を連結する支柱支持装置の点を除き、第１の実施の形態と同様である。そのため、以下ではこの支柱支持装置１３１についてのみ説明する。
【００５９】
支柱支持装置１３１は、２つの拘束リング１３２、１３２を備える。各拘束リング１３２は、装着リング１３３と連結部１３４を介して溶接等により連結されている。この連結部１３４は、上述のように、単なる連結金具であってもよい。各拘束リング１３２は、略Ｕ字形であり、植木鉢１２とは反対側に延びる２つの脚部１３５、１３５を有し、これらの脚部の間は開放されている。ボルト１３７が各脚部１３５に形成されたボルト孔１３６（一方の脚部のボルト孔のみ図示）に挿通され、蝶ナット１３８とねじ合わされる。各装着リング１３３は、円形の閉鎖リングであり、植木鉢１２の外周面に下方から嵌められ、それぞれ関連するリブ１５を乗越えて、そのリブの直ぐ上の側壁１３上に位置付けられる。これにより、植木鉢１２の一側の所定の高さ位置に関連する拘束リング１３２を支持する。縦支柱１８の筒体２９には、上下に離隔された２つの凸部１３９が形成されている。縦支柱１８（筒体２９）は、各拘束リング１３２に側方から、脚部１３５、１３５の間を通って嵌め込まれ、凸部１３９、１３９がそれぞれ関連する拘束リングの下面と当接するようにされる。各拘束リング１３２は、これによっても所定の高さ位置に支持される。その後、各拘束リング１３２の脚部１３５、１３５間に渡されたボルト１３７を蝶ナット１３８で締付けることにより、縦支柱１８は各拘束リング１３２内に固定され、下端のフランジ３０がベランダの床面等の平面上に位置した状態で、起立支持される。上述の説明からも明らかなように、各凸部１３９は拘束リング１３２と当接して縦支柱１８の上方への移動を阻止するとともに、装着リング１３３を植木鉢１２の側壁１３上の所定の高さ位置に位置決めする役割をも果たす。なお、ここでも、各拘束リング１３２の一方の脚部１３５のボルト孔１３６の周りに凹み（図示せず）を設けておくと、蝶ナット１３８による締付け時にボルトが回転しないので便宜である。なお、本実施の形態の装着リング１３３は、植木鉢１２が後に投入される栽培土及び潅水により多少なりとも半径方向外方に膨らむことが想定されるような場合に、特に好適である。
【００６０】
なお、本実施の形態では、縦支柱１８の凸部１３９及び植木鉢１２のリブ１５により拘束リング１３２及び装着リング１３３を所定の高さ位置に位置決めしているが、いずれか一方のみで位置決めし、他方を省略することも可能であろう。また、本実施の形態では、各拘束リング１０９に縦支柱１８を締付け固定するのにボルト１３７と蝶ナット１３８とを用いているが、これらに代えて、第２の実施の形態で使用したようなレバークランプ（緊締具１１５）（図１５）又はその他の手段により固定するようにしてもよい。また、本実施の形態では、第１及び第２の実施の形態と同様、縦支柱１８は下端にフランジ３０を有しているが、フランジを省略し得ることは前述の通りである。その場合、縦支柱１８の下端は、ベランダの床面等の平面と接することが好ましいが、植木鉢の大きさ等によっては、上記平面と接しなくともよい。
【実施例４】
【００６１】
次に、図２１を参照して、第４の実施の形態に係る支柱支持装置１４１について説明する。支柱支持装置１４１は、植木鉢１２の上部に位置する１つの拘束リング１４２を備える。拘束リング１４２は、植木鉢１２の側壁１３と一体的に形成されて外方に突出する断面半楕円形の膨出部１４３と、膨出部を上下に貫く貫通孔１４４とを含む。拘束リング１４２は全体としてやや縦長の筒の形状を有している。支柱支持装置１４１は、拘束リング１４２が植木鉢１２と一体的に形成される点で上述の各実施の形態と異なる。また、装着リング３４、１０５、１３３を有しない点で、上述の各実施の形態と異なる。装着リング３４、１０５、１３３を有しないのは、拘束リング１４２が植木鉢１２と一体的に形成されることから、拘束リングを固定支持する装着リングを必要としないからである。縦支柱１８は、筒体２９が拘束リング１４２に挿通され、フランジ３０がベランダの床面等の平面上に配置されて、植木鉢１２の一側に起立支持される。拘束リング１４２（貫通孔１４４）と筒体２９との嵌め合いは、上述の各実施の形態と同様、密であることが好ましい。かかる構成によれば、縦支柱１８を支持する支柱支持装置の部品点数を減らし、これをより簡略化することができる。また、グリーンカーテン用組立体１１の組立てをさらに容易にすることができる。なお、拘束リング１４２を植木鉢１２の上部側に設けるのは、植木鉢（下方に向かって径が小さくなる植木鉢）は通常上下に重ねられ、互いに嵌め合わされて運搬等されるため、その妨げとならないようにするためである。
【００６２】
したがって、例えば全高さにわたって同一の径を有する植木鉢（図示せず）のように、上述のような運搬上の便宜を考慮する必要がなければ、拘束リングとして、植木鉢の上部から下部まで延びる縦長の膨出部や、上部と下部とに離隔された２つの膨出部を、植木鉢の側壁に一体的に形成し、それらの貫通孔に筒体２９を挿通して縦支柱１８を支持するようにすることもできる。その際、筒体２９は下端にフランジ３０を有しても有しなくてもよく、下端がベランダの床面等の平面と接していればよい。あるいはまた、植木鉢の上部からベランダの床面等の平面まで、又は上記平面よりも高い位置まで延びる有底の膨出部を、拘束リングとして植木鉢の側壁に一体的に形成し、その有底孔にフランジ３０を有しない筒体２９を押込んで縦支柱１８を支持するようにしてもよい。後者の上記平面よりも高い位置まで延びる有底の膨出部の場合、倒伏に対する安定性の観点から、植木鉢はある程度大きいことが望ましい。なお、図２１に示す例では、膨出部１４３はやや縦長の形状を有しているが、これを単なる貫通孔付きの板状の膨出部としてもよい。
【００６３】
図２２は、図２１に示す支柱支持装置１４１の変形例である支柱支持装置１４５を示す。支柱支持装置１４５は、図２１に示す拘束リング１４２に加え、その下方で植木鉢１２の外側面に着脱可能に取付けられる一対の拘束リング１４７及び装着リング１４８を備える。これらの拘束リング１４７及び装着リング１４８は、結束片１４９により結束された、形状が対称の２つの金属製の帯状板１５０ａ、１５０ｂによって構成されている。拘束リング１４７は結束片１４９の図面左側に形成され、装着リング１４８は右側に形成されている。拘束リング１４７は、結束片１４９とは反対側に、帯状板１５０ａ、１５０ｂの左側端部により構成された２つの脚部１５１ａ、１５１ｂを有し、それらの間は開放されている。両脚部１５１ａ、１５１ｂの間は、各脚部に形成されたボルト孔（図示せず）に挿通されるボルト１５３と蝶ナット１５４とにより閉鎖される。大径の装着リング１４８は、結束片１４９とは反対側に、帯状板１５０ａ、１５０ｂの右側端部により構成される２つの脚部１５２ａ、１５２ｂを含み、それらの間は開放されている。各脚部１５２ａ、１５２ｂにはボルト孔１５５が形成され、これらのボルト孔に挿通されるボルト１５６と蝶ナット１５７とにより、装着リング１４８を植木鉢１２の外側面に締付け固定する緊締具１５８が構成される。装着リング１４８は、植木鉢１２のリブ１５の直ぐ上の側壁１３上に位置決めされ、緊締具１５８によって締付け固定される。縦支柱１８は、筒体２９が上方及び下方の拘束リング１４２、１４７に挿通され、下側の拘束リング１４７でボルト１５３と蝶ナット１５４とにより締付け固定されることにより、植木鉢１２の外側一側に起立支持される。かかる構成によれば、２つの拘束リング１４２、１４７によって縦支柱１８を支持するとともに、植木鉢１２の運搬時等には、下側の拘束リング１４７（及び装着リング１４８）を取外すことにより、この植木鉢を別の植木鉢に重ね、嵌め合わせることが可能となる。なお、図示の例では、縦支柱１８の下端はベランダの床面等の平面よりも上方に位置しているが、上記平面まで延長させてもよい。また、帯状板１５０ａ、１５０ｂを硬質合成樹脂又はその他の材料から形成してもよく、結束片１４９に代えて、ピン又はその他の手段により帯状板を互いに連結させてもよい。
【００６４】
上述の各実施の形態では、植木鉢１２を断面円形としたが、植木鉢は正方形や多角形やその他の形状の植木鉢であってもよい。また、植木鉢１２を下方に向かって小さくなる径を有するとしたが、上方に向かって径が小さくなっても、全高さにわたって同一の径を有しても、又はたる型等の植木鉢であってもよい。植木鉢１２は、また、長方形や楕円形等のプランタであってもよい。これらのプランタでも、例えば縦向きに配置することにより、本発明によるグリーンカーテン用組立体に適した植木用容器とすることができる。植木鉢１２は、合成樹脂製であっても、素焼きや陶器製であっても、木製であっても、又は金属製等であってもよい。なお、本書において植木用容器の語は、植木鉢とプランタとを含む意味で使用されている。
【００６５】
上述の各実施の形態では、ネット用枠体１６に傾斜部１６ｂを含ませているが、これを省略することもできる。その場合は、上側横支柱２０に留め具９１（図１３Ａ〜１３Ｃ）を介してネット２２を掛止するか、又はネットの上端の網目に上側横支柱２０を順次通してネットを掛止する。また、傾斜部１６ｂのみならず、上側横支柱２０と下側横支柱１９とを省略することもできる。その場合は、２つの縦支柱１８（１８ａ、１８ｂ）、１８（１８ａ、１８ｂ）の間に直接ネット２２を張ることとなる。あるいは、傾斜部横支柱２１（傾斜部１６ｂを省略しない場合）、上側横支柱２０、及び下側横支柱１９に代えて、縦支柱１８、１８の間に紐状物を架渡し、これを介してネット２２を張るようにすることもできる。しかしながら、横支柱２１、２０、１９の中で最も植木鉢１２、１２に近接して配置される下側横支柱１９は、第１の縦支柱１８ａ、１８ａに連結された後は、ネット２２が張られる縦支柱１８、１８間の距離を規定するとともに、栽培土投入後にグリーンカーテン用組立体１１の重石を構成する２つの植木鉢を一体化し、これによってグリーンカーテン用組立体１１の安定性を増進する役割を果たすことから、省略しないことが好ましい。
【００６６】
上述の各実施の形態における１組の拘束リング、装着リング及び／又は緊締具は、他の実施の形態における１組の拘束リング、装着リング及び／又は緊締具と置換して用いることができる。また、各実施の形態における１組又は各組の拘束リング、装着リング及び／又は緊締具は、他の実施の形態における拘束リング、装着リング及び／又は緊締具と置換して又は組合せて用いることができる。これらのことは、各実施の形態における支柱支持装置３１、１０３、１３１、１４１、１４５の構成から明らかであろう。また、各実施の形態における支柱支持装置及びこれによって支持される縦支柱１８、１８は、グリーンカーテン用組立体１１の不使用時には植木鉢１２から取外し、別所に保管しておくことができることも明らかであろう。
【実施例５】
【００６７】
上述の各実施の形態では、２つの縦支柱１８、１８を支持するに際し、２つの植木鉢のいずれにも本発明に係る支柱支持装置３１、１０３、１３１、１４１、１４５を用いた。しかしながら、本発明に係る支柱支持装置と、そうではない支柱支持装置とを用いて、２つの縦支柱１８、１８を支持するようにすることもできる。例えば、図２３に示すような本発明によらない支柱支持装置を備えた植木鉢１６１を、本発明に係る支柱支持装置を備えた植木鉢と組合せて使用し、２つの縦支柱を支持するようにすることもできる。
【００６８】
図２３を参照すると、植木鉢１６１は、断面円形の、下方に行くにつれて小さくなる径を有する植木鉢であり、側壁１６２と、側壁の下端の底壁１６３とを有する。底壁１６３は、断面台形であり、中央に一段高くなった底上げ部１６４を有する。底上げ部１６４には、底壁１６３の中心と側壁１６２との間、図示の例では、底壁１６３の中心と左側の側壁１６２とを結ぶ半径の約１／２のところに、円形の支柱挿通孔１６５が形成されている。植木鉢１６１がベランダの床面等の平面上に置かれると、底上げ部１６４と上記平面との間には、一定の高さの図示しない空間が形成される。縦支柱１８は、グリーンカーテン用組立体の組立て時、筒体２９が支柱挿通孔１６５に通され、フランジ３０が底上げ部１６４の下の空間内で平面上に置かれて、垂直に起立される。この発明の支柱支持装置は、さらに、植木鉢１２内の所定の高さにて、縦支柱１８の筒体２９を支持する上部支持具１６６を備える。上部支持具１６６は、植木鉢１６１の所定の高さの内周面に掛止される大径のリング部１６７と、大径のリング部の内側に位置し、大径のリング部に連結される小径のリング部１６８とを有する。大径のリング部１６７の植木鉢１６１への掛止時、小径のリング部１６８は、植木鉢の底壁１６３に形成された支柱挿通孔１６５の上方に位置付けられる。縦支柱１８は、支柱挿通孔１６５と小径のリング部１６８とに挿通され、平面上に起立支持される。後に投入される栽培土は、上部支持具１６６を覆うように植木鉢１６１内に充填される。かかる支柱支持装置を備えた植木鉢１６１を一方の植木鉢として用い、本発明に係る支柱支持装置を備えた植木鉢を他方の植木鉢として用いて、１つのグリーンカーテン用組立体１１において、２つの縦支柱を支持するようにすることもできる。
【００６９】
本発明の好ましい実施の形態を図示し説明したが、これらは単に例示である。例えば、拘束リングが連結される装着リングを、植木鉢の全周の一部、例えば１／２に及ぶ円弧状の帯状板で構成し、その両自由端部の内側面と、植木鉢の外側面又はリブとにそれぞれ相補型の係合部を設け、これらの係合部の係合により、装着リングを植木鉢の外側面に固定し、植木鉢の一側に拘束リングを固定支持するようにすることもできる。このように、上述の本発明の好ましい実施の形態は、本発明の範囲を限定するものではない。本書の記載から、本発明の精神及び範囲を逸脱することなく多くの変形例や改変例や置換例等が可能であるが、これらの変形例や改変例や置換例等は本発明の保護の範囲に含まれるものと解釈されるべきである。
【産業上の利用可能性】
【００７０】
本発明のグリーンカーテン用組立体キット及び組立体は、２つの別個の植木用容器を用いるので、１つのプランタを用いる場合と比べ、製造や運搬に特に不都合をきたすことなく、比較的大型の、しかも安定性に優れた円形等の植木用容器を使用することができる。そのため、前後方向を含むグリーンカーテン用組立体の安定性を確保することができる。部品点数が少なく、組立ても容易である。
【符号の説明】
【００７１】
１１    グリーンカーテン用組立体
１２    植木鉢
１５    リブ
１６    ネット用枠体
１８    縦支柱
１９    下側横支柱
２０    上側横支柱
２１    傾斜部横支柱
２２    ネット
２３    栽培土
２７    プランタ
２９    筒体
３０    フランジ
３１    支柱支持装置
３３    拘束リング
３４    装着リング
３９    緊締具
４０    長ナット
４３    台枠
１０３    支柱支持装置
１０５    装着リング
１０７    被着具
１０７’    被着具
１０７’’    被着具
１０９    拘束リング
１１５    緊締具
１１６    支持台
１１７    レバー
１２０    係合突起
１２６    係合突起
１３１    支柱支持装置
１３２    拘束リング
１３３    装着リング
１３９    凸部
１４１    支柱支持装置
１４２    拘束リング
１４３    膨出部
１４４    貫通孔
１４７    拘束リング
１４８    装着リング
１４９    結束片
１５６    ボルト
１５７    蝶ナット
１５８    緊締具
【図１】
2013150551.tif 000003
【図２】
2013150551.tif 000004
【図３】
2013150551.tif 000005
【図４】
2013150551.tif 000006
【図５】
2013150551.tif 000007
【図６】
2013150551.tif 000008
【図７】
2013150551.tif 000009
【図８】
2013150551.tif 000010
【図９】
2013150551.tif 000011
【図１０】
2013150551.tif 000012
【図１１】
2013150551.tif 000013
【図１２】
2013150551.tif 000014
【図１３Ａ】
2013150551.tif 000015
【図１３Ｂ】
2013150551.tif 000016
【図１３Ｃ】
2013150551.tif 000017
【図１４Ａ】
2013150551.tif 000018
【図１４Ｂ】
2013150551.tif 000019
【図１４Ｃ】
2013150551.tif 000020
【図１５】
2013150551.tif 000021
【図１６】
2013150551.tif 000022
【図１７】
2013150551.tif 000023
【図１８】
2013150551.tif 000024
【図１９】
2013150551.tif 000025
【図２０】
2013150551.tif 000026
【図２１】
2013150551.tif 000027
【図２２】
2013150551.tif 000028
【図２３】
2013150551.tif 000029